(57)【要約】  患者インターフェイスは、患者にガスを供給するための患者インターフェイス要素及び前額部支持部を有する。前額部支持部のための改良された調節機構が提供される。
2015521936.tif 000002
【特許請求の範囲】
【請求項１】
患者に呼吸ガスを供給するための患者インターフェイス要素、及び
前記患者インターフェイス要素に結合した前額部支持部、
を有する患者インターフェイスであって、
前記前額部支持部及び前記患者インターフェイス要素のうちの一方はシャフトを有し、前記前額部支持部及び前記患者インターフェイス要素のうちの他方は前記シャフトが受容される開口部を有し、前記患者インターフェイス要素に対する前記前額部支持部の位置調節を可能にするように、前記シャフトは前記開口部内でスライド可能であり、
前記シャフト及び前記開口部の位置を固定するためのロック手段が設けられ、前記ロック手段を解放するための解放ボタンが設けられている、
患者インターフェイス。
【請求項２】
前記シャフトは前記前額部支持部に取り付けられ、前記患者インターフェイス要素はフレーム部を有し、前記フレーム部は、
前記シャフトが通過するハウジング、
前記ハウジング内の駆動バネ、及び
前記シャフトを駆動するための駆動部材であり、当該駆動部材が前記シャフトを把持する駆動形態及び当該駆動部材が前記シャフトを解放する解放形態を有し、当該駆動部材は前記駆動バネによって前記解放形態に向けて付勢されている、駆動部材、
を有し、
前記ロック手段は前記シャフトをロックするためのロック部材を有し、前記ロック部材は、前記ロック部材が前記シャフトを把持するロック形態及び前記ロック部材が前記シャフトを解放する解放形態を有し、前記ロック部材はロックバネによって前記ロック形態に向けて付勢されている、
請求項１記載の患者インターフェイス。
【請求項３】
前記駆動部材は回動板を有し、前記回動板は前記シャフトが通過する開口部を有し、前記回動板は前記駆動バネによって前記シャフトの軸に対して垂直な相対的位置に向けて付勢されている、請求項２記載の患者インターフェイス。
【請求項４】
前記ロック部材は回動板を有し、前記回動板は前記シャフトが通過する開口部を有し、前記回動板は前記ロックバネによって前記シャフトの軸に対して垂直からずれた相対的位置に向けて付勢されている、請求項２記載の患者インターフェイス。
【請求項５】
ポンプ・保持調節機構を備える、請求項２記載の患者インターフェイス。
【請求項６】
前記シャフトは前記患者インターフェイス要素に取り付けられ、前記開口部は前記前額部支持部に取り付けられた管に形成され、
前記ロック手段は摩擦パッドを有し、前記摩擦パッドは前記シャフトにバネ機構によって結合させられ、前記管の内面に対して付勢され、
前記解放ボタンは、前記バネ機構の付勢力に抗して前記摩擦パッドを押圧するために適している、
請求項１記載の患者インターフェイス。
【請求項７】
前記管は、前記解放ボタンが延びるスロットを有する、請求項６記載の患者インターフェイス。
【請求項８】
請求項１記載の患者インターフェイス、及び
前記患者インターフェイス要素及び前記前額部支持部を患者の顔に接触させて保持するためのヘッドギア、
を有する、患者インターフェイスアセンブリ。
【請求項９】
患者に呼吸ガスを供給するための患者インターフェイス要素、及び
前記患者インターフェイス要素に結合した前額部支持部、
を有する患者インターフェイスであって、
前記前額部支持部は前額部カム装置を有し、前記患者インターフェイス要素は患者インターフェイスカム装置を有し、
第一の面内の前記患者インターフェイスカム装置及び前記前額部カム装置の相対的な位置は、前記第一の面に対して垂直な軸に沿った前記前額部支持部の位置調節を実現させる、
患者インターフェイス。
【請求項１０】
前記患者インターフェイスカム装置及び前記前額部カム装置を一つにつなげる、弾性コネクタを有する、請求項９記載の患者インターフェイス。
【請求項１１】
前記前額部カム装置及び前記患者インターフェイスカム装置は、それぞれ、二つの並んだカムブロックを有し、
前記患者インターフェイスカム装置のブロックは、前記第一の面内を当該患者インターフェイスに対してスライド可能であり、
前記位置調節は、前記患者インターフェイスカム装置の複数のブロックを一緒に又は別々に動かすことによって実行される
請求項９記載の患者インターフェイス。
【請求項１２】
前記複数のカム装置は、それぞれ、一組の個別の調節位置を規定する段階的カム面を有する、請求項９記載の患者インターフェイス。
【請求項１３】
請求項９記載の患者インターフェイス、及び
前記患者インターフェイス要素及び前記前額部支持部を患者の頭部に接触させて保持するためのヘッドギア、
を有する、患者インターフェイスアセンブリ。
【発明の詳細な説明】
【技術分野】
【０００１】
本発明は、使用者の気道へ及び／又は使用者の気道から気体を運ぶための患者インターフェイスに関する。
【背景技術】
【０００２】
非侵襲的に、すなわち患者の気道内に管を挿入すること又は外科的に患者の食道に気管チューブを挿入することなく、患者の気道に呼吸ガスの流れを供給することが必要であるか又は望ましい数多くの状況が存在する。例えば、非侵襲的換気として知られる技術を用いて患者に酸素を供給することが知られている。また、睡眠時無呼吸症、特に閉塞性睡眠時無呼吸（obstructive  sleep  apnea（OSA））のような医学的障害を治療するために、持続的気道陽圧（continuous  positive  airway  pressure（CPAP））、又は患者の呼吸周期と共に変化する可変気道陽圧（variable  airway  pressure）を供給することも知られている。
【０００３】
非侵襲的換気及び圧力補助療法は、軟質で柔軟なシーリングクッションを有するマスクコンポーネントを含む患者インターフェイス要素（element）を患者の顔に装着することを伴う。マスクコンポーネントは、患者の鼻を覆う鼻マスク、患者の鼻孔内に受容される鼻突起を有する鼻ピロー／クッション、鼻及び口を覆う鼻／口マスク、又は患者の顔を覆うフルフェイスマスクであってもよいが、これらに限定されない。患者インターフェイス要素は、呼吸ガスの流れが圧力／流れ発生装置から患者の気道に供給されることができるように、人工呼吸器又は圧力補助装置と患者の気道との間をつなぎ合わせる。
【０００４】
そのような複数の要素は、典型的に患者の頭部を覆って／周りにぴったりと合うように適合された一つ以上のストラップを有するヘッドギアによって患者の顔上に維持される。
【０００５】
図１は、患者に呼吸療法を提供するための典型的なシステムを示す。このシステムは、発明の詳細な説明及び特許請求の範囲において“患者インターフェイスアセンブリ”と呼ばれることがある。
【０００６】
アセンブリ２は、圧力発生装置４、屈曲接続部１８に係合する供給導管１６、及び患者インターフェイス１０を含む。圧力発生装置４は、呼吸ガスの流れを発生させるように構成されている。また、圧力発生装置４は、人工呼吸器、（例えば持続的気道陽圧装置、すなわちCPAP装置のような）定圧補助装置、可変圧力装置及び自動滴定圧力補助装置を含んでもよいが、これらに限定されない。
【０００７】
供給導管１６は、屈曲コネクタ１８を介して呼吸ガスの流れを圧力発生装置４から患者インターフェイス１０へ通じさせる。供給導管１６、屈曲コネクタ１８及び患者インターフェイス装置１０は、しばしば集合的に患者回路と称される。
【０００８】
患者インターフェイス１０は、患者インターフェイス要素を含む。患者インターフェイス要素は、シェル１５及びクッション１４の形をとるマスク１２であり、例示的な本実施形態においては鼻及び口マスクである。しかしながら、例えば鼻のみのマスク、鼻ピロー／クッション又はフルフェイスマスクのような、患者の気道への呼吸ガスの流れの供給を助ける如何なる他の種類のマスクであっても、マスクとして使用され得る。クッション１４は、軟質で柔軟な材料で作られる。その材料は、例えばシリコン、適度に軟質な熱可塑性エラストマー、独立気泡発泡体又は上記の複数の材料の如何なる組み合わせでもよいが、これらに限定されない。
【０００９】
屈曲コネクタ１８が結合させられるシェル１５の開口部は、圧力発生装置４からの呼吸ガスの流れがシェル１５及びクッション１４によって画成される内部空間に、及びその後に患者の気道に伝えられることを可能にする。
【００１０】
患者インターフェイスアセンブリはまた、ヘッドギアコンポーネント１９を含む。ヘッドギアコンポーネント１９は、図示された実施形態においては二点式ヘッドギアである。ヘッドギアコンポーネント１９は、第一及び第二のストラップ２０を含む。第一のストラップ及び第二のストラップのそれぞれは、患者の顔の側面上で患者の耳の上に配置されるように構成される。
【００１１】
ヘッドギアコンポーネント１９は、一方のストラップ２０の端をマスク１２のそれぞれの側に連結させるための第一のマスク取り付け要素及び第二のマスク取り付け要素２２を更に含む。
【００１２】
この種類のアセンブリに関する問題は、頑丈且つ安定したシールを実現するために必要な患者の顔に対するヘッドギアの力のベクトルが患者の目尻に近い直線を通り抜けるかも知れないことであり、それは不快且つ気を散らすものであり得る。
【００１３】
これを避けるために、患者インターフェイスの一部として前額部支持部を含めて、要求される力を広い領域に分散させることがよく知られている。この方法において、前額部上の追加的なクッション支持部は、マスクによって鼻の周り又は鼻及び口の周りに加えられる力の平衡を保つ。
【００１４】
全ての顔は、互いに異なっている。前額部支持部を有する患者インターフェイスアセンブリを使用する場合、この前額部支持部は個人の適合のために調整可能であるべきである。顔面と前額部支持部との間の隙間は、３０ｍｍの範囲内で異なり得る。
【００１５】
既知の調節装置の一つの例は、回転ノブによって制御される回転機構を使用する。この機構は、結果として顔面と前額部支持部との間の隙間の増大又は減少を生じる。使用者は、正しい隙間及び正しい適合を得るためにノブを回転させなければならない。
【００１６】
人間工学の見地から、ノブを回転させることは調節を実施するための最も便利な方法ではない。要素の数及び要求精度は費用がかかり、アセンブリは二つのコンポーネントの間で動くことによって騒音となり得る。
【発明の概要】
【課題を解決するための手段】
【００１７】
本発明によれば、独立請求項において請求されるような患者インターフェイスが提供される。
【００１８】
一つの態様において、本発明は、
−  患者に呼吸ガスを供給するための患者インターフェイス要素、及び
−  患者インターフェイス要素に結合し、支持クッションを有する前額部支持部、
−  を有する患者インターフェイスであって、
−  前額部支持部及び患者インターフェイス要素のうちの一方はシャフトを有し、前額部支持部及び患者インターフェイス要素のうちの他方はシャフトが受容される開口部を有し、患者インターフェイス要素に対する前額部支持部の位置調節を可能にするように、シャフトは開口部内でスライド可能であり、
−  シャフト及び開口部の位置を固定するためのロック手段が設けられ、ロック手段を解放するための解放ボタンが設けられている、
−  患者インターフェイス、を提供する。
【００１９】
この構成は、単純にスライドさせて前額部支持部の位置を調節し、その後に前額部支持部を所望の位置でロックすることを可能にする。
【００２０】
第一の型（バージョン）において、シャフトは前額部支持部に取り付けられ、患者インターフェイス要素はフレーム部を有し、フレーム部は、
−  シャフトが通過するハウジング、
−  ハウジング内の駆動バネ、及び
−  シャフトを駆動するための駆動部材であり、駆動部材がシャフトを把持する駆動形態及び駆動部材がシャフトを解放する解放形態を有し、駆動部材は駆動バネによって解放形態に向けて付勢されている、駆動部材、
−  を有し、
−  ロック手段はシャフトをロックするためのロック部材を有し、ロック部材は、ロック部材がシャフトを把持するロック形態及びロック部材がシャフトを解放する解放形態（configuration）を有し、ロック部材はロックバネによってロック形態に向けて付勢されている。
【００２１】
この構成は、バネ付勢されたポンプ装置を規定する。それぞれのシャフトの前進は、（ロック部材が解放形態にある状態で）駆動部材によって駆動される。その後に駆動部材がその解放位置にある状態で、ロック部材によって新たなシャフト位置が保持される。
【００２２】
駆動部材は回動板を有してもよく、回動板はシャフトが通過する開口部を有し、回動板は駆動バネによってシャフトの軸に対して垂直な相対的な位置（orientation）に向けて付勢されてもよい。この垂直な相対的位置が解放形態であり、開口部はシャフトの断面に一致する形状を有する。
【００２３】
ロック部材もまた、回動板を有してもよく、回動板はシャフトが通過する開口部を有し、回動板はロックバネによってシャフトの軸に対して垂直からずれた相対的位置に向けて付勢される。すなわち、回動板はロック形態に向けて付勢される。
【００２４】
一つの他の型において、シャフトは患者インターフェイス要素（例えばフレーム部）に取り付けられ、開口部は前額部支持部に取り付けられた管に形成され、ロック手段は摩擦パッドを有し、摩擦パッドはシャフトにバネ機構によって結合させられ、管の内面に対して付勢され、解放ボタンは、バネ機構の付勢力に抗して摩擦パッドを押圧するために適した構造である。
【００２５】
この構成は、摩擦制動を用いたスライド調節を可能にする。管は、解放ボタンが延びるスロットを有してもよい。これは、調節の範囲を規定する。
【００２６】
本発明の一つの他の態様は、
−  患者に呼吸ガスを供給するための患者インターフェイス要素、及び
−  患者インターフェイス要素に結合し、支持クッションを有する前額部支持部、
−  を有する患者インターフェイスであって、
−  前額部支持部は前額部カム装置を有し、患者インターフェイス要素は患者インターフェイスカム装置を有し、
−  第一の面内の患者インターフェイスカム装置及び前額部カム装置の相対的な位置は、第一の面に対して垂直な軸に沿った前額部支持部の位置調節を実現させる、
−  患者インターフェイス、を提供する。
【００２７】
この構成は、前額部支持部の高さ調節を提供するためにカムの調節を使用する。その調節は、単純な横方向の調節がなされ得るように、前額部支持部の調節方向に対して垂直である。
【００２８】
患者インターフェイスカム装置及び前額部カム装置を一つにつなげるために、弾性コネクタが使用されてもよい。
【００２９】
前額部カム装置及び患者インターフェイスカム装置は、それぞれ、二つの並んだ（side  by  side）カムブロックを有してもよく、患者インターフェイスカム装置のブロック（フレームカム装置ブロック）は、第一の面内を患者インターフェイス要素に対してスライド可能であり、位置調節は、患者インターフェイスカム装置の複数のブロックを一緒に又は別々に動かすことによって実行されてもよい。複数のカム装置は、それぞれ、一組の個別の調節位置を規定する段階的カム面を有してもよい。または、そうでなければ滑らかなカム面が使用されてもよい。
【図面の簡単な説明】
【００３０】
本発明の複数の実施例が、次のような添付の図面を参照して、以下詳細に説明される。
【図１】図１は、既知の患者インターフェイスを示す。
【図２】図２は、米国特許公開第２０１０／００００５４２号に開示されるような、既知の患者インターフェイスを示す。
【図３】図３は、本発明の患者インターフェイスの第一の実施例を示す。
【図４】図４は、図３の患者インターフェイスの二つの制御設定を示す。
【図５】図５は、本発明の患者インターフェイスの第二の実施例を示す。
【図６】図６は、本発明の患者インターフェイスの第三の実施例を示す。
【図７】図７は、図６の患者インターフェイスをより詳細に示す。
【発明を実施するための形態】
【００３１】
本発明は、患者インターフェイス要素（例えば、マスク）及び前額部支持部を有する患者インターフェイスを提供する。
【００３２】
本発明は、前額部支持部のための改良された調節機構を提供する。
【００３３】
図２は、米国特許公開第２０１０／００００５４２号から取られ、前額部支持部３０を含むフルフェイスマスクアセンブリ１０の形の患者インターフェイスアセンブリを示す。患者インターフェイス（マスク部）は、使用者にガスを供給するためのものであり、フレーム１６、患者の顔と共にシールを形成するように適合されたクッション１４、空気供給管への接続のための屈曲（エルボ）アセンブリ１８（図１内の同一の番号のものに対応する、複数のコンポーネントの１０，１４，１６，１８）を含む。
【００３４】
図２は、患者の顔にかかる力を減らし、前額部支持クッション４１を備えるフレーム３４を含む、前額部支持部３０を示す。本実施例において、前額部支持部の位置は回転ノブ４０によって調節可能である。
【００３５】
回転ノブは、前額部支持部３０を概して直線的な経路に沿って動かすネジ式アクチュエータを有する。回転調節ノブ４０はネジシャフトを含み、前額部支持フレーム３４は内部ネジ管を含む。
【００３６】
調節ノブ４０が回転させられた場合に、前額部支持部３４の内部ネジ管は、調節ノブ４０のネジシャフトから伸長又は後退し、前額部クッション４１の調節可能な動きを引き起こす。
【００３７】
図３は、図２のデザインに構成が似ており、クッション１４及びシェル１５並びに前額部支持部３０を備えた、本発明の患者インターフェイス１０の第一の実施例を示す。
【００３８】
前額部支持部は、シェル１５に対して内外にスライド（摺動）可能である。そのスライドは、ポンプ・ロック方式で制御される。これは、使用者がトリガを操作して前額部支持部を適切な位置へ漸進的に（徐々に）押し出す（ポンプする）ことを意味する。その機構は、従来のポンプ式グル―ガンと同様に機能する。
【００３９】
そのデザインは図４により詳細に示される。図４において、図４ａは調節中のアセンブリを示し、図４ｂは所望の位置にロックされたアセンブリを示す。
【００４０】
前額部支持部３０は、マスクシェル１５の開口部（フレーム部）を通過するロッド４２を有する。これらの開口部は、ハウジング部を画成する。ハウジング部は、内部に駆動バネ４８が適合させられ、ロッド４２の周りに配置される。ロッド４２は、ロックハンドル４４及びロッド把持部４６を通過する。ロックハンドル４４は、バネ４９によって外側に付勢されている。
【００４１】
ロックハンドル及びロッド把持部は、同じように働く。それらは、ロッドの形状にぴったりと接近して一致する開口部を備えたシート構造を有する。それ故に、シートがロッドに対して垂直な場合にのみ、ロッドは自由に通過することができる。相対的な角度が存在するとすぐに、ロッドは開口部内に把持される。
【００４２】
調節ハンドル５０を押圧している場合に、ロッド把持部４６が傾くため、ロッド把持部４６はロッド４２をつかむ。ひとたびロッド把持部４６が傾いてロッドを把持すれば、ロッド把持部４６は（図４ａの右方向へ）スライドし、一緒にロッド４２を押し進める。ロッドは、このようにしてハンドル５０の回動によって駆動バネ４８の付勢力に抗して押し進められる。ロッドの動きは、ロッド把持部４４をバネ４９の付勢力に抗して（図４ａの右方向へ）かすかに引き、そのためロッドは自由にロッド把持部を通過することができる。
【００４３】
ハンドル５０を解放している場合にバネ４８はロッド把持部４６を後方に押圧し、そのためロッド把持部４６は別の駆動操作のためにリセットされる。ロッドは、ロックハンドル４４によって把持される。ロックハンドル４４は、ロッド及びそのバネ４９によって、垂直な方向からずれたそのロック位置に向けて押圧されている。このようにして、ロッド把持部４６がその初期位置に戻る場合に、ロッド把持部４６はそれと共にロッドを引っ張らない。なぜなら、ロッドはロックハンドル４４によって把持されているからであり、また、ロッド把持部４６はその垂直な相対的位置に戻っているからである。
【００４４】
一回のハンドル５０の押圧はロッド４２を漸進的な量だけ動かし、多数回のポンプ動作がロッド及び前額部支持部を所望の量だけ動かすために使用されてもよい。
【００４５】
使用者が前額部支持部３０を緩めたい場合には、小さなロックハンドル４４が押圧され、ロッド４２及び前額部支持部３０が自由に動くことができる。ロックハンドルはその垂直な位置に向けて押圧されており、バネは既にロッド把持部４６をその垂直な位置に向けて押圧している、そのためロッドが自由に動かされることができる。
【００４６】
使用者にとって、この構造は操作が簡単である。マスクが身に付けられ、前額部支持部を正確な位置に向けて調節するためにハンドルが押圧される。
【００４７】
図示された実施例において、前額部支持部は伸長された位置から漸進的に後退させるように調節される。しかしながら、代わりに、漸進的な調節が前額部支持部を前額部に向かって外側に進ませるように構成されてもよい。
【００４８】
上記の実施例は、前額部支持部に接続されたロッドを使用して、前額部支持部の直線的なスライドを用いる。図５は、図２のデザインに構成が似ており、クッション１４及びシェル１５並びに前額部支持部３０を備えた、本発明の患者インターフェイス１０の第二の実施例を示す。
【００４９】
シェル１５は、複数のカムブロックを使用して前額部支持部に接続される。前額部支持部は、二つの横に並んだ（side  by  side）カムブロック６０を有する。カムブロック６０は、前額部支持部の動きの方向に対して先細りのカム面を有する。それ故に、カム面の一端は前額部支持部に比較的近く、他端は前額部支持部から比較的遠い。二つのカムブロック６０は対称的に配置されており、そのため前額部支持部の左右アライメントは調節の間（以下で説明されるように）一定のままである。
【００５０】
シェル１５は、対応する複数のカムブロック６２を有する。シェルのカムブロック６２と前額部支持部のカムブロック６０との間の相対的な横方向の位置は、組み合わされた装置の全体の厚さを決定する。それ故に、複数のカムブロック６２の間の横方向の間隔を設定することによって、前額部支持部の距離が調節される。
【００５１】
図示された実施例において、カム面は段階的であり（段を有する）、そのため調節はラチェット機能であると考えられることができる。カムブロック６２は、ピン６４によってマスクシェル１５に接続されている。使用者は、このピン６４をマスクシェル１５内で動かして、カムブロック６２を動かし、より大きな又はより小さなマスクシェル１５と前額部支持部３０との間の距離を作り出すことができる。複数のカムブロックの組はそれぞれの柔軟なバンド６６によって互いに保持され、これらは前額部支持部３０及びマスクシェル１５を一つにまとめる。
【００５２】
カムブロックは、段階的な表面又は楔のような平面的な表面を有してもよい。滑らかな表面が提供された場合は、ピン６４が段階的なクリック機能を実行して、調節をより容易にしてもよい。
【００５３】
この構成は、やはり単純な調節機構を提供し、非常に少数の部品を使用する。
【００５４】
図６は、図２のデザインに構成が似ており、クッション１４及びシェル１５並びに前額部支持部３０を備えた、本発明の患者インターフェイス１０の第三の実施例を示す。図７ａは制御ピンをより明確に示し、図７ｂは管の断面を示すことによって摩擦パッドを示し、図７ｃは端面図を示す。
【００５５】
これは、バネ付勢された摩擦パッドを使用した、所望の位置での摩擦によるロッドの保持を伴う、他のスライド装置である。
【００５６】
中空の管７０が、前額部支持部３０に接続されている。この中空の管は、他の調節ロッド７２の周りに配置される。調節ロッド７２は、マスクシェル１５に接続されている。この方法において、調節は管の内側のロッドのスライドである。外側の中空の管７０はスロットを有し、スロット内にロックボタン７４が配置されている。ロックボタン７４は内側のロッド７２に接続されている。バネ７６は、内側のロッド７２に接続されており、ロックボタン７４を外側に付勢する。使用者がロックボタン７４を押圧する場合に、システムはロック解除され、ロッド及び管は互いに対してスライドすることができる。ロックボタン７４を開放している場合に、システムは再びロックされる。
【００５７】
ロックは、ロックボタンの基部７８と外側の管７０の内面との間に働かされ、バネ付勢力によって作り出される摩擦によって達成される。基部７８及び管７０は、スライドすることに対して抵抗するように設計された表面を有してもよい。その表面は、粗い高摩擦面又は歯のような一連のインターロッキング係合ノッチのどちらであってもよい。このシステムを使用することによって、使用者は、前額部支持部の距離を、如何なる位置においてでも、単純な押圧・スライド機構によって調節することができる。
【００５８】
開示された複数の実施形態に対する複数の他の変形が、特許請求された発明の実践において、図面、明細書及び添付の特許請求の範囲の検討から、当業者によって理解され、もたらされることができる。特許請求の範囲において、単語“有する”又は“含む”は、他の要素又はステップを排除せず、不定冠詞に対応する“一つ”又は“ある”及び数を示していない場合は、複数であることを排除しない。単一のプロセッサ又は他のユニットが、特許請求の範囲において列挙された数個の項目の機能を満たしてもよい。ある手段が互いに異なる従属請求項において列挙されたという単なる事実は、これらの手段の組合せが有利に使用され得ないことを示さない。特許請求の範囲における如何なる参照符号も、範囲を限定するものとして解釈されるべきではない。
【図１】
2015521936.tif 000003
【図２】
2015521936.tif 000004
【図３】
2015521936.tif 000005
【図４（ａ）】
2015521936.tif 000006
【図４（ｂ）】
2015521936.tif 000007
【図５】
2015521936.tif 000008
【図６】
2015521936.tif 000009
【図７（ａ）】
2015521936.tif 000010
【図７（ｂ）】
2015521936.tif 000011
【図７（ｃ）】
2015521936.tif 000012
【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
患者に呼吸ガスを供給するための患者インターフェイス要素、及び
前記患者インターフェイス要素に結合した前額部支持部、
を有する患者インターフェイスであって、
前記前額部支持部及び前記患者インターフェイス要素のうちの一方はシャフトを有し、前記前額部支持部及び前記患者インターフェイス要素のうちの他方は前記シャフトが受容される開口部を有し、前記患者インターフェイス要素に対する前記前額部支持部の位置調節を可能にするように、前記シャフトは前記開口部内でスライド可能であり、
前記シャフト及び前記開口部の位置を固定するためのロック手段が設けられ、前記ロック手段を解放するための解放ボタンが設けられており、
前記シャフトは前記前額部支持部に取り付けられ、前記患者インターフェイス要素はフレーム部を有し、前記フレーム部は、
前記シャフトが通過するハウジング、及び
前記ハウジング内の駆動バネ、を有し、
前記シャフトを駆動するための駆動部材であり、当該駆動部材が前記シャフトを把持する駆動形態及び当該駆動部材が前記シャフトを解放する解放形態を有することによりポンプ・保持調節機構を実現させ、当該駆動部材は前記駆動バネによって前記解放形態に向けて付勢されている、駆動部材、が設けられ、
前記ロック手段は前記シャフトをロックするためのロック部材を有し、前記ロック部材は、前記ロック部材が前記シャフトを把持するロック形態及び前記ロック部材が前記シャフトを解放する解放形態を有し、前記ロック部材はロックバネによって前記ロック形態に向けて付勢されている、
患者インターフェイス。
【請求項２】
前記駆動部材は回動板を有し、前記回動板は前記シャフトが通過する開口部を有し、前記回動板は前記駆動バネによって前記シャフトの軸に対して垂直な相対的位置に向けて付勢されている、請求項１記載の患者インターフェイス。
【請求項３】
前記ロック部材は回動板を有し、前記回動板は前記シャフトが通過する開口部を有し、前記回動板は前記ロックバネによって前記シャフトの軸に対して垂直からずれた相対的位置に向けて付勢されている、請求項１記載の患者インターフェイス。
【請求項４】
患者に呼吸ガスを供給するための患者インターフェイス要素、及び
前記患者インターフェイス要素に結合した前額部支持部、
を有する患者インターフェイスであって、
前記前額部支持部及び前記患者インターフェイス要素のうちの一方はシャフトを有し、前記前額部支持部及び前記患者インターフェイス要素のうちの他方は前記シャフトが受容される開口部を有し、前記患者インターフェイス要素に対する前記前額部支持部の位置調節を可能にするように、前記シャフトは前記開口部内でスライド可能であり、前記シャフト及び前記開口部の位置を固定するためのロック手段が設けられ、前記ロック手段を解放するための解放ボタンが設けられており、
前記シャフトは前記患者インターフェイス要素に取り付けられ、前記開口部は前記前額部支持部に取り付けられた管に形成され、
前記ロック手段は摩擦パッドを有し、前記摩擦パッドは前記シャフトにバネ機構によって結合させられ、前記管の内面に対して付勢され、
前記解放ボタンは、前記バネ機構の付勢力に抗して前記摩擦パッドを押圧するために適している、
患者インターフェイス。
【請求項５】
前記管は、前記解放ボタンが延びるスロットを有する、請求項４記載の患者インターフェイス。
【請求項６】
請求項１乃至５のいずれか一項に記載の患者インターフェイス、及び
前記患者インターフェイス要素及び前記前額部支持部を患者の顔に接触させて保持するためのヘッドギア、
を有する、患者インターフェイスアセンブリ。
【請求項７】
患者に呼吸ガスを供給するための患者インターフェイス要素、及び
前記患者インターフェイス要素に結合した前額部支持部、
を有する患者インターフェイスであって、
前記前額部支持部は前額部カム装置を有し、前記患者インターフェイス要素は患者インターフェイスカム装置を有し、
第一の面内の前記患者インターフェイスカム装置及び前記前額部カム装置の相対的な位置は、前記第一の面に対して垂直な軸に沿った前記前額部支持部の位置調節を実現させ、
前記前額部カム装置及び前記患者インターフェイスカム装置は、それぞれ、二つの並んだカムブロックを有し、
前記患者インターフェイスカム装置のブロックは、前記第一の面内を当該患者インターフェイスに対してスライド可能であり、
前記位置調節は、前記患者インターフェイスカム装置の複数のブロックを一緒に又は別々に動かすことによって実行される、
患者インターフェイス。
【請求項８】
前記患者インターフェイスカム装置及び前記前額部カム装置を一つにつなげる、弾性コネクタを有する、請求項７記載の患者インターフェイス。
【請求項９】
前記複数のカム装置は、それぞれ、一組の個別の調節位置を規定する段階的カム面を有する、請求項７記載の患者インターフェイス。
【請求項１０】
請求項７乃至９のいずれか一項に記載の患者インターフェイス、及び
前記患者インターフェイス要素及び前記前額部支持部を患者の頭部に接触させて保持するためのヘッドギア、
を有する、患者インターフェイスアセンブリ。
【手続補正２】
【補正対象書類名】明細書
【補正対象項目名】００１６
【補正方法】変更
【補正の内容】
【００１６】
人間工学の見地から、ノブを回転させることは調節を実施するための最も便利な方法ではない。要素の数及び要求精度は費用がかかり、アセンブリは二つのコンポーネントの間で動くことによって騒音となり得る。
欧州特許公報ＥＰ２００５９８５号、国際特許出願公開ＷＯ２００６／０７４５１７号、国際特許出願公開ＷＯ２００９／０５５５４９号及び国際特許出願公開ＷＯ２００４／０２１９６０号は、それぞれ、調節可能な前額部支持部を備えた患者インターフェイスを開示する。欧州特許公報ＥＰ２００５９８５号は、駆動バネの影響下で後退した位置から使用者の前額部に向かってスライドする前額部支持部を開示する。前額部支持部は、ひとたび調節されると、ロックされることができる。
【特許文献１】欧州特許公報ＥＰ２００５９８５号
【特許文献２】国際特許出願公開ＷＯ２００６／０７４５１７号
【特許文献３】国際特許出願公開ＷＯ２００９／０５５５４９号
【特許文献４】国際特許出願公開ＷＯ２００４／０２１９６０号
【国際調査報告】
2015521936.tif 000013
2015521936.tif 000014
2015521936.tif 000015